(57)【要約】【課題】本発明は、たとえ天井等の被設置面に発光パネルを取り付ける場合であっても、落下を防止することができ、さらに例えば壁面に対して平行移動させて発光パネルを取り付けることができる発光パネルの取付構造を提供する。【解決手段】発光パネル２は、本体部１０から本体部１０に対して交差する方向に突出する突出片１１を有し、突出片１１は、板状であって、厚み方向に貫通した固定孔１８を有し、取付装置３は、互いに対向する一対の固定部材５１，５２を有し、固定部材５１は、固定部材５２に近接する方向への付勢力が働いており、固定部材５１は、固定孔１８の一方の開口２０から挿入されており、固定部材５２は、固定孔１８の他方の開口２１から挿入されており、固定部材５１，５２は、互いに近接した状態で固定孔１８と係合している構造とする。【選択図】図１０
2015111528.tif 000002
【特許請求の範囲】
【請求項１】
一方の主面に発光面を有する発光パネルと、被設置面に対して前記発光パネルを取り付け可能な取付装置を備えた発光パネルの取付構造において、
前記発光パネルと取付装置のうち、一方に係合部を備え、他方に前記係合部と係合可能な被係合部を備えており、
前記被係合部は、前記発光パネルの他方の主面に対して交差する方向に延びる突出片を有し、
当該突出片は、板状であって、厚み方向に貫通した固定孔を有し、
前記係合部は、弾性変形が可能な固定部を有し、
発光パネルと取付装置は、前記突出片を前記固定部に押圧させて取り付けるものであり、
発光パネルを取付装置に取り付ける際に、前記固定部は、突出片の押圧によって突出片を避ける方向に弾性変形した後に、復元力によって前記固定孔に挿入されて、固定孔と係合することを特徴とする発光パネルの取付構造。
【請求項２】
一方の主面に発光面を有する発光パネルと、被設置面に対して前記発光パネルを取り付け可能な取付装置を備えた発光パネルの取付構造において、
前記発光パネルは、他方の主面から当該他方の主面に対して交差する方向に突出する突出片を有し、
当該突出片は、板状であって、厚み方向に貫通した固定孔を有し、
前記取付装置は、互いに対向する一対の固定部を有し、
前記一対の固定部は、共に弾性変形が可能であり、
発光パネルと取付装置は、前記突出片を前記一対の固定部に押圧させて取り付けるものであり、
発光パネルを取付装置に取り付ける際に、前記一対の固定部は、突出片の押圧によって突出片を避ける方向に弾性変形した後に、復元力によって互いに近接して固定孔と係合した係合姿勢をとり、
当該係合姿勢において、一方の固定部は、前記固定孔の一方の開口から挿入されており、他方の固定部は、前記固定孔の他方の開口から挿入されていることを特徴とする発光パネルの取付構造。
【請求項３】
前記発光パネルは、前記突出片を備えた固定基材を有し、
前記突出片は、固定基材の一部を折り曲げ加工することによって形成されていることを特徴とする請求項２に記載の発光パネルの取付構造。
【請求項４】
前記発光パネルは、前記突出片を備えた固定基材を有し、
前記固定基材は、強磁性体によって形成されており、
前記取付装置は、ベース部を有し、
前記ベース部は、前記固定基材を引きつける磁石部を有することを特徴とする請求項２又は３に記載の発光パネルの取付構造。
【請求項５】
前記固定基材は、面状に広がりを有し、
前記ベース部は、前記磁石部を少なくとも２つ有し、
当該２つの磁石部は、永久磁石であって、前記一対の固定部を挟むように離間して配されていることを特徴とする請求項４に記載の発光パネルの取付構造。
【請求項６】
前記一対の固定部のうち、少なくとも一方の固定部は、コイルばねであり、
係合姿勢において、前記一方の固定部の線間に他方の固定部の一部が挿入されていることを特徴とする請求項２〜５のいずれかに記載の発光パネルの取付構造。
【請求項７】
前記一対の固定部は、ともにコイルばねであり、
係合姿勢において、前記他方の固定部の線間に前記一方の固定部の一部が挿入されていることを特徴とする請求項６に記載の発光パネルの取付構造。
【請求項８】
前記発光パネルは、少なくとも第１電極層、有機発光層、及び第２電極層を備えた有機ＥＬ素子を内蔵していることを特徴とする請求項１〜７のいずれかに記載の発光パネルの取付構造。
【請求項９】
前記取付装置は、外部電源と電気的に接続された給電部を有し、
前記発光パネルは、当該給電部を介して給電されることを特徴とする請求項１〜８のいずれかに記載の発光パネルの取付構造。
【発明の詳細な説明】
【技術分野】
【０００１】
本発明は、発光パネルの取付構造に関するものである。特に照明装置として使用される有機ＥＬパネルの取付構造に関するものである。
【背景技術】
【０００２】
近年、白熱灯や蛍光灯に代わる照明装置として有機ＥＬパネルが注目されている。
有機ＥＬパネルは、一般的に、ガラス基板等の基材上に有機ＥＬ素子を積層し、有機ＥＬ素子を封止する構造及び有機ＥＬ素子へ給電する構造を備えたものである。
また、有機ＥＬ素子は、一方又は双方が透光性を有する２つの電極を対向させ、この電極の間に有機化合物からなる発光層を積層したものである。有機ＥＬパネルは、電気的に励起された電子と正孔との再結合のエネルギーによって発光する。
【０００３】
この有機ＥＬパネルは、白熱灯や蛍光灯とは異なり、面発光が可能であり、主に平面光源として使用されている。すなわち、有機ＥＬパネルは、平面光源として使用した場合には、有機ＥＬパネルの設置面積を増加させれば、その分、発光面積を増加させることが可能である。そのため、有機ＥＬパネルは、居住空間の天井や壁等の被設置面に対して密に敷き詰めて設置させることで、十分な光量を得るとともに、使用者に有機ＥＬパネルの設置面全面が均等に発光したようにみせることが可能であり、居住空間のインテリア性を向上させることも可能である。
【０００４】
ところで、天井や壁等の被設置面に対して密に有機ＥＬパネルを敷き詰めた場合、各有機ＥＬパネルが隙間なく密集した状態となる。そのため、有機ＥＬパネルの寿命やインテリアの変更等により有機ＥＬパネルを交換する場合には、密集して配された有機ＥＬパネルの中から、特定の有機ＥＬパネルを取り替えなければならない。
例えば、周囲が他の有機ＥＬパネルに囲まれた有機ＥＬパネルを取り替える場合には、隣接する有機ＥＬパネルの存在が空間的に邪魔となる。そのため、従来から他の有機ＥＬパネルが邪魔にならないように被設置面に対して、パネル面を平行に維持したまま、その法線方向に移動させて設置できる構造が望まれていた。
【０００５】
そこで、特許文献１，２には、ベースを壁面に固定し、有機ＥＬパネルをその法線方向に移動させてベースに取り付ける構造が提案されている。
特許文献１には、一つの実施例として、磁石と一体となった照明モジュールと、金属製の裏板取り付け装置を備えており、磁力によって裏板取り付け装置に対して照明モジュールを固定する磁石式取り付けシステムが開示されている。
また、特許文献２には、永久磁石（permanent magnet）を使用して、キャリアベース（carrier base）にＯＬＥＤランプ（OLED lamp）を設置する発光体（luminary）が記載されている。
【先行技術文献】
【特許文献】
【０００６】
【特許文献１】特開２００６−１０６７６３号公報
【特許文献２】国際公開第２０１０／１１６３０１号
【発明の概要】
【発明が解決しようとする課題】
【０００７】
永久磁石は、基本的には、長期間にわたって磁力を維持しているものの、経時変化や使用環境によって、磁力が徐々に消失する。
すなわち、特許文献１に記載の磁石式取り付けシステムを用いて、天井に有機ＥＬパネルを固定した場合には、永久磁石のみで有機ＥＬパネルを固定することとなるが、この構造の場合、経時変化等によって、永久磁石の磁力が消失していく。そのため、有機ＥＬパネルに加わる重力以上の永久磁石の磁力を維持できなくなると、有機ＥＬパネルが突然落下する懸念があった。
【０００８】
そこで、本発明は、たとえ天井等の被設置面に発光パネルを取り付ける場合であっても、突然の落下を防止することができ、さらに例えば壁面に対してパネル面を平行に維持したまま、その法線方向に移動させて発光パネルを取り付けることができる発光パネルの取付構造を提供することを目的とする。
【課題を解決するための手段】
【０００９】
上記の課題を解決するための請求項１に記載の発明は、一方の主面に発光面を有する発光パネルと、被設置面に対して前記発光パネルを取り付け可能な取付装置を備えた発光パネルの取付構造において、前記発光パネルと取付装置のうち、一方に係合部を備え、他方に前記係合部と係合可能な被係合部を備えており、前記被係合部は、前記発光パネルの他方の主面に対して交差する方向に延びる突出片を有し、当該突出片は、板状であって、厚み方向に貫通した固定孔を有し、前記係合部は、弾性変形が可能な固定部を有し、発光パネルと取付装置は、前記突出片を前記固定部に押圧させて取り付けるものであり、発光パネルを取付装置に取り付ける際に、前記固定部は、突出片の押圧によって突出片を避ける方向に弾性変形した後に、復元力によって前記固定孔に挿入されて、固定孔と係合することを特徴とする発光パネルの取付構造である。
【００１０】
ここでいう「被設置面」とは、発光パネルの取付対象となる壁面であり、天井や壁、床面などである。
【００１１】
本発明の構成によれば、発光パネルと取付装置のうち、一方に係合部を備え、他方に係合部と係合可能な被係合部を備えている。すなわち、発光パネルが係合部を備える場合には、取付装置が被係合部を備えることとなり、発光パネルが被係合部を備える場合には、取付装置が係合部を備えることとなる。
また、本発明の構成によれば、発光パネルを取付装置に取り付け、取付装置を介して被設置面に対して発光パネルを設置するものである。
発光パネルを取付装置に取り付ける際には、固定部が突出片に押圧されることによって突出片を避ける方向に弾性変形する。すなわち、突出片の進行方向から突出片に押圧された固定部が離れ、突出片の進行方向上に隙間ができていく。このとき、固定部には、常に復元力が働いており、突出片の押圧力に対して反力が働く。
そして、本発明の構成によれば、固定部は、固定孔に至ったときに、復元力によって固定孔の一方の開口から挿入されて、固定孔と係合し、取付装置と発光パネルが一体化する。
このように取付装置は、突出片の一連の押圧動作によって発光パネルと一体化されて設置面に対して発光パネルを固定することができる。
すなわち、発光パネルと取付装置の一方を他方に対して互いに近接する方向に平行移動させるだけで固定することができるので、発光パネルの設置面積以上の余分な面積を取らずに設置することができる。
つまり、たとえ被設置面に複数の発光パネルが敷き詰められており、本発明の発光パネルの周囲に他の発光パネルが設置される場合であっても、他の発光パネルが邪魔にならないので、他の発光パネルとの間に取付作業用の隙間を形成しなくてもよい。そのため、本発明の発光パネルの取付構造によれば、複数の発光パネルを発光面の面方向に密に配置することができる。
また、突出片と固定部との係合によって物理的に固定されるため、たとえ天井等に発光パネルを固定する場合であっても、磁力の消失等によって、落下しない。そのため、本発明の構成によれば、安全性の高い発光パネルの取付構造となる。
【００１２】
請求項２に記載の発明は、一方の主面に発光面を有する発光パネルと、被設置面に対して前記発光パネルを取り付け可能な取付装置を備えた発光パネルの取付構造において、前記発光パネルは、他方の主面から当該他方の主面に対して交差する方向に突出する突出片を有し、当該突出片は、板状であって、厚み方向に貫通した固定孔を有し、前記取付装置は、互いに対向する一対の固定部を有し、前記一対の固定部は、共に弾性変形が可能であり、発光パネルと取付装置は、前記突出片を前記一対の固定部に押圧させて取り付けるものであり、発光パネルを取付装置に取り付ける際に、前記一対の固定部は、突出片の押圧によって突出片を避ける方向に弾性変形した後に、復元力によって互いに近接して固定孔と係合した係合姿勢をとり、当該係合姿勢において、一方の固定部は、前記固定孔の一方の開口から挿入されており、他方の固定部は、前記固定孔の他方の開口から挿入されていることを特徴とする発光パネルの取付構造である。
【００１３】
本発明の構成によれば、発光パネルに突出片を有し、取付装置に一対の固定部を有している。そのため、発光パネルの居住空間側（発光面側）の面から突出部を突出させずに発光パネルを固定することができる。
また、本発明の構成によれば、発光パネルを取付装置に取り付ける際に、一対の固定部の少なくとも一方は、突出片に押圧されることによって突出片を避ける方向に弾性変形する。すなわち、突出片の進行方向から少なくとも突出片に押圧された側の固定部が離れ、突出片の進行方向上に隙間ができていく。このとき、固定部には、常に復元力が働いており、突出片の押圧力に対して反力が働く。
そして、本発明の構成によれば、一対の固定部は、固定孔に至ったときに、復元力によって互いに近接した状態で固定孔と係合した係合姿勢をとる。すなわち、一対の固定部は、復元力によって互いに近接した状態で固定孔とそれぞれが係合するので、取付装置は、突出片の一連の押圧動作によって発光パネルを固定することができる。そのため、発光パネルは、取付装置に向かってその法線方向に移動させるだけで固定することができ、発光パネルの設置面積以上の余分な面積を取らずに設置することができる。すなわち、たとえ、周囲に発光パネルが設置される場合であっても、他の発光パネルが邪魔にならないので、発光パネルを密に配置することができる。
また、本発明の構成によれば、係合姿勢において、一方の固定部は、前記固定孔の一方の開口から挿入されており、他方の固定部は、前記固定孔の他方の開口から挿入されている。すなわち、突出片の両側の開口からそれぞれの固定部が挿入されて、突出片を挟み込むように固定するため、たとえ、天井等に発光パネルを固定する場合であっても、磁力の消失等によって、落下しない。
【００１４】
請求項３に記載の発明は、前記発光パネルは、前記突出片を備えた固定基材を有し、前記突出片は、固定基材の一部を折り曲げ加工することによって形成されていることを特徴とする請求項２に記載の発光パネルの取付構造である。
【００１５】
本発明の構成によれば、突出片が固定基材の一部を折り曲げ加工することによって形成されているので、突出片の形成において溶接等を必要とせず、突出片を形成しやすい。
【００１６】
請求項４に記載の発明は、前記発光パネルは、前記突出片を備えた固定基材を有し、前記固定基材は、強磁性体によって形成されており、前記取付装置は、ベース部を有し、前記ベース部は、前記固定基材を引きつける磁石部を有することを特徴とする請求項２又は３に記載の発光パネルの取付構造である。
【００１７】
ここでいう「磁石部」とは、主に磁石によって形成される部位をいう。磁石の種類は問わない。電磁石であってもよいし、永久磁石であってもよい。
ここでいう「強磁性体」とは、磁石に付く性質を有するものをいう。
【００１８】
本発明の構成によれば、上記した固定部と固定孔の係合に加えて、磁石部と固定基材間に働く磁力によっても固定されているので、より脱落しにくい。
別の観点からみると、たとえ、長期間の利用等によって、磁石部の磁力が消失した場合であっても、固定部と突出片の固定孔との係合によって一体化されている。そのため、磁力の消失により、突然発光パネルと取付装置が離反せず、発光パネルが不意に落下することを防止できる。すなわち、本発明の構成によれば、より安全性の高い発光パネルの取付構造となる。
【００１９】
請求項５に記載の発明は、前記固定基材は、面状に広がりを有し、前記ベース部は、前記磁石部を少なくとも２つ有し、当該２つの磁石部は、永久磁石であって、前記一対の固定部を挟むように離間して配されていることを特徴とする請求項４に記載の発光パネルの取付構造である。
【００２０】
本発明の構成によれば、磁石部が離れた位置に存在し、そのそれぞれによって固定基材を引きつけるので、発光パネルの姿勢が安定しやすい。
【００２１】
請求項６に記載の発明は、前記一対の固定部のうち、少なくとも一方の固定部は、コイルばねであり、係合姿勢において、前記一方の固定部の線間に他方の固定部の一部が挿入されていることを特徴とする請求項２〜５のいずれかに記載の発光パネルの取付構造である。
【００２２】
本発明の構成によれば、一方の固定部の復元力を利用して他方の固定部が抜けにくくできる。そのため、固定部と突起片の係合孔との係合状態がより強固となり、発光パネルが落下等しにくい。
【００２３】
請求項７に記載の発明は、前記一対の固定部は、ともにコイルばねであり、係合姿勢において、前記他方の固定部の線間に前記一方の固定部の一部が挿入されていることを特徴とする請求項６に記載の発光パネルの取付構造である。
【００２４】
本発明の構成によれば、一対の固定部は、ともにコイルばねであるため、安価に固定部を形成できる。また、一対の固定部は、互いの復元力によって、固定部が離反しにくくなるため、固定部と突起片の係合孔との係合状態がさらに強固となり、発光パネルが落下等しにくい。
【００２５】
請求項８に記載の発明は、前記発光パネルは、少なくとも第１電極層、有機発光層、及び第２電極層を備えた有機ＥＬ素子を内蔵していることを特徴とする請求項１〜７のいずれかに記載の発光パネルの取付構造である。
【００２６】
本発明の構成によれば、発光パネルは有機ＥＬ素子を有した発光パネルであるから、薄くて軽く、落下しにくい。そのため、安全性が高く、高信頼性を有する発光パネルの取付構造となる。
【００２７】
請求項９に記載の発明は、前記取付装置は、外部電源と電気的に接続された給電部を有し、前記発光パネルは、当該給電部を介して給電されることを特徴とする請求項１〜８のいずれかに記載の発光パネルの取付構造である。
【００２８】
本発明の構成によれば、取付装置が給電部を有するので、発光パネルへの給電経路を確保しやすい。
【発明の効果】
【００２９】
本発明の発光パネルの取付構造によれば、たとえ天井等の壁面に発光パネルを取り付ける場合であっても、落下を防止することができ、さらに例えば壁面に対してパネル面を平行に維持したまま、その法線方向に移動させて発光パネルを取り付けることができる。
【図面の簡単な説明】
【００３０】
【図１】本発明の第１実施形態に係る発光パネルの取付構造の使用例を表す概念図である。
【図２】本発明の第１実施形態に係る発光パネルの取付構造の斜視図である。
【図３】図２の発光パネルの取付構造の分解斜視図である。
【図４】図２の発光パネルの取付構造の説明図であり、（ａ）はＡ−Ａ断面図であり、（ｂ）はＢ−Ｂ断面図である。
【図５】図３の発光パネルの分解斜視図である。
【図６】図５の発光パネルのパネル側給電部と有機ＥＬ素子の各層との対応関係を表す模式図である。
【図７】図２の取付装置の分解斜視図である。
【図８】図２の取付装置を異なる方向からみた斜視図である。
【図９】図３の固定部材を表す平面図である。
【図１０】本発明の第１実施形態において発光パネルを取付装置に取り付ける際の説明図であり、（ａ）は取り付ける前の状態を表す要部の斜視図であり、（ｂ）は取り付ける途中の状態を表す要部の斜視図であり、（ｃ）は取り付けた後の状態を表す要部の斜視図である。
【図１１】本発明の第２実施形態における発光パネルの取付構造を模式的に示した一部破断斜視図である。
【図１２】図１１の発光パネルを取付装置に取り付ける際の説明図であり、（ａ）は、取り付ける前の状態を表す要部の断面図であり、（ｂ）は、取り付け途中の状態を表す要部の断面図であり、（ｃ）は、取り付けた後の状態を表す要部の断面図である。
【図１３】本発明の第３実施形態における発光パネルの取付構造を模式的に示した分解斜視図である。
【図１４】図１３の発光パネルを取付装置に取り付ける際の説明図であり、（ａ）は、取り付ける前の状態を表す要部の斜視図であり、（ｂ）は、取り付け途中の状態を表す要部の斜視図であり、（ｃ）は、取り付けた後の状態を表す要部の斜視図である。
【発明を実施するための形態】
【００３１】
本発明は、主に照明装置として使用される発光パネルの取付構造１に係るものである。以下、上下左右の位置関係は、特に断りのない限り、図２の姿勢を基準に説明する。すなわち、発光パネル２の点灯時における光取り出し側が下である。また、下記に記載する物性は、特に断りの無い限り、標準状態での物性を表し、図面は、理解を容易にするために全体的に実際の大きさ（長さ、幅、厚さ）に比べて誇張して描写していることがある。
【００３２】
本発明の第１実施形態の発光パネルの取付構造１は、天井や壁等の被設置面４に発光パネル２を取り付けるものである。
第１実施形態の発光パネルの取付構造１は、被設置面４に対してパネル面を平行に維持したまま、その垂直方向に平行移動させることで、発光パネル２の脱着が可能であるところに特徴の一つを有している。すなわち、第１実施形態の発光パネル２は、図１のように、複数の他の発光パネル２とともに天井や壁等の被設置面４に敷き詰められ、発光パネル２が周囲を他の発光パネル２で囲まれている場合に特に好適に使用できる。
【００３３】
発光パネルの取付構造１は、図２，図３に示されるように、発光パネル２と、取付装置３を備えている。
【００３４】
発光パネル２は、図５に示されるように、固定基材５（被係合部）と、有機ＥＬパネル６と、フレーム部材７から形成されている。
固定基材５は、取付装置３（図３参照）の一部と係合可能な部材であり、有機ＥＬパネル６の強度を補強する補強部材でもある。
固定基材５は、１枚の強磁性体を有した板状体を折り曲げ加工して形成されている。
固定基材５の素材としては、強磁性を有するものであれば、特に限定されるものではなく、例えば、鉄やニッケル、コバルト、ガドリニウムなどの単体や合金、酸化物などである。
本実施形態の固定基材５では、鉄板に複数カ所折り曲げ加工を施して形成されている。
【００３５】
固定基材５は、図５のように、本体部１０と、突出片１１と、位置決め用係合片１２，１３と、給電孔１５，１６を備えている。
本体部１０は、固定基材５の大部分を占め、有機ＥＬパネル６の剛性を補強する部位である。本体部１０は、面状に広がりを有しており、本実施形態では、四角形の角部を取り除いた略四角形状をしている。
突出片１１は、後述する取付装置３の固定部材５１，５２（図７参照）と係合可能な部位であって、本体部１０から上方に向けて立ち上がった板状の部位である。
すなわち、突出片１１は、本体部１０を基端部として、本体部１０に対して交差する方向に延びており、本実施形態では、本体部１０に対して直交方向に延びている。別の観点からみると、突出片１１は、発光パネル２の片側の主面（一方の主面）に対して垂直方向に延在している。
突出片１１は、その表面にディッピング処理が施されており、保護層（図示しない）が形成されている。
【００３６】
突出片１１は、図５に示されるように、厚み方向（突出方向に対して直交方向）に貫通した固定孔１８を有している。すなわち、本実施形態の固定孔１８は、本体部１０に対して平行となるように貫通されている。
固定孔１８は、突出片１１の表裏面に略長方形状の開口２０，２１を有した貫通孔である。
一方の開口２０は、後述する取付装置３の一方の固定部材５１（図７参照）を挿入可能な開口であり、他方の開口２１は、後述する取付装置３の他方の固定部材５２（図７参照）を挿入可能な開口である。
【００３７】
位置決め用係合片１２，１３は、発光パネル２の位置決め用のガイドとして機能する部位であり、本体部１０から上方に向けて立ち上がった板状の部位である。
すなわち、位置決め用係合片１２，１３は、それぞれ本体部１０を基端部として、本体部１０に対して交差する方向に延びており、本実施形態では、本体部１０に対して直交方向に延びている。
位置決め用係合片１２，１３は、それぞれの表面にディッピング処理が施されており、保護層（図示しない）が形成されている。
【００３８】
給電孔１５，１６は、ベース部材５０のベース側給電部６０，６１と、有機ＥＬパネル６のパネル側給電部２２，２３を接続するための接続孔であり、固定基材５の厚み方向Ｚに貫通し、開口形状が四角形状の貫通孔である。
【００３９】
突出片１１は、図５のように、本体部１０の略中央に位置しており、その長さは、本体部１０の長さ方向Ｙに延びている。位置決め用係合片１２，１３は、本体部１０の幅方向Ｘの端部近傍に位置しており、それぞれの長さは本体部１０の幅方向Ｘ（厚み方向に対して直交する方向であって、長さ方向Ｙに対して直交する方向）に延びている。
位置決め用係合片１２，１３は、幅方向Ｘにおいて同一直線上に並んでおり、長さ方向Ｙからみたときに、突出片１１を挟んだ位置関係となっている。
給電孔１５，１６は、幅方向Ｘにおいて、突出片１１よりも外側（端部側）に位置しており、長さ方向Ｙにおいて、位置決め用係合片１２，１３よりも内側（中央側）に位置している。
給電孔１５，１６は、発光パネル２を組み立てた際に、有機ＥＬパネル６のパネル側給電部２２，２３と対応する位置に配されている。
【００４０】
有機ＥＬパネル６は、有機ＥＬ素子３０を内蔵した有機ＥＬパネルであり、一方の主面（片面）に発光面８（図１参照）を有している。
すなわち、有機ＥＬパネル６は、図６に示されるように、面状に広がりをもった基材３１上に、有機ＥＬ素子３０が積層した積層構造を内蔵している。
有機ＥＬ素子３０は、基材３１側から少なくとも第１電極層３２と、有機発光層３３と、第２電極層３５を備えた積層構造を有したものである。
また、本実施形態の有機ＥＬパネル６は、基材３１側から光を取り出すボトムエミッション型の有機ＥＬパネルである。
【００４１】
有機ＥＬパネル６は、図６のように、反対面（発光面８側の面と反対面）にパネル側給電部２２，２３を有している。
すなわち、発光面８側（図１参照）に基材３１が位置しており、パネル側給電部２２，２３側に第２電極層３５が位置している。
パネル側給電部２２は、図６のように、有機ＥＬ素子３０の第１電極層３２と電気的に接続されており、パネル側給電部２３は、有機ＥＬ素子３０の第２電極層３５と電気的に接続されている。有機ＥＬパネル６は、その内部で、パネル側給電部２２から第１電極層３２、有機発光層３３、及び第２電極層３５を通過してパネル側給電部２３を結ぶ導電経路が形成されている。そのため、パネル側給電部２２，２３間に電圧が印加されることにより、有機発光層３３が発光し発光面８が発光する。
【００４２】
フレーム部材７は、図３のように、固定基材５と有機ＥＬパネル６を一体化させる部材である。
フレーム部材７は、伸縮自在な材料によって形成されており、可撓性を有している。
フレーム部材７は、図５のように、平面視したときに四角環状の部材であって、断面形状が「コ」字状の部材である。
フレーム部材７は、底面部２５と、側面部２６と、天面部２７から形成されている。
底面部２５と天面部２７は、互いに対面するように所定の間隔を空けて配されており、側面部２６は、これらの底面部２５と天面部２７を接続している。
また、側面部２６は、天面部２７から底面部２５にかけて、ゆるやかに丸みを帯びながら、下り傾斜している。すなわち、底面部２５の外縁の大きさは、天面部２７の外縁大きさよりも小さい。
【００４３】
ここで、発光パネル２の各部位の位置関係について説明する。
発光パネル２は、図４（ａ），図４（ｂ）から読み取れるように、有機ＥＬパネル６上に固定基材５が載置されており、固定基材５と有機ＥＬパネル６が一体となるように、フレーム部材７によって、外縁が固定されている。すなわち、発光パネル２は、固定基材５と有機ＥＬパネル６の外縁に沿ってフレーム部材７が被さっている。発光パネル２は、一方の主面側では、図１のように発光面８がフレーム部材７から露出しており、他方の主面側では、図３のように、フレーム部材７から突出片１１や位置決め用係合片１２，１３、給電孔１５，１６が露出している。
フレーム部材７の側面部２６は、図４（ａ），図４（ｂ）から読み取れるように、固定基材５の端面と有機ＥＬパネル６の端面を跨がるように覆っており、フレーム部材７の底面部２５及び天面部２７は、固定基材５と有機ＥＬパネル６が一体となるように挟持している。
【００４４】
取付装置３は、発光パネル２を天井や壁等の被設置面４（図１参照）に対して脱着可能に取り付ける装置であり、一種の脱着装置といえる。
取付装置３は、図７に示されるように、ベース部材５０と、一対の固定部材５１，５２（固定部）を備えている。
【００４５】
ベース部材５０は、天井や壁等の被設置面４と一体的に固定され、発光パネル２を支持する部材である。
ベース部材５０は、図７，図８から読み取れるように、位置決め用係合部５５，５６と、取り付け用貫通孔５７と、磁石部５８，５９と、ベース側給電部６０，６１と、取付部６５，６６を有している。
位置決め用係合部５５，５６は、位置決め用係合片１２，１３と係合可能な部位であり、具体的には、ベース部材５０の端部から長さ方向Ｙに切り欠かれた切り欠きである。
磁石部５８，５９は、下面側（図８では上面）に設けられ、固定基材５の本体部１０を磁力によって引きつける部材であり、具体的には、永久磁石である。
ベース側給電部６０，６１は、外部電源と電気的に接続可能な部位であって、有機ＥＬパネル６のパネル側給電部２２，２３に給電する部位である。
ベース側給電部６０，６１は、ベース側給電部６０に外部電源の一方の電極（例えば、正極）が接続されており、ベース側給電部６１に外部電源の他方の電極（例えば、負極）が接続されている。
【００４６】
取付部６５，６６は、固定部材５１，５２を固定する部位である。
取付部６５，６６は、図７，図８から読み取れるように、それぞれパネル側固定部６３と、壁面側固定部６４から形成されている。
パネル側固定部６３は、ベース部材５０の下面（発光パネル２側の面）において取り付け用貫通孔５７に向けて切り欠かれた部位である。
壁面側固定部６４は、ベース部材５０の上面（発光パネル２と反対側の面）において取り付け用貫通孔５７に向けて切り欠かれた部位である。
パネル側固定部６３，６３及び壁面側固定部６４，６４は、ともに取り付け用貫通孔５７に向かって延びたスリットであり、固定部材５１，５２を固定可能となっている。
【００４７】
固定部材５１，５２は、弾性変形可能な弾性体であり、具体的には、コイルばねである。すなわち、固定部材５１，５２は、図７，図９から読み取れるように、断面形状が円形の１本の線状体が螺旋状に旋回した部材であり、付勢力が生じる本体部７０と、ベース部材５０に固定される保持部７１，７２を有している。
保持部７１は、ベース部材５０の壁面側固定部６４に固定される部位であり、保持部７２は、ベース部材５０のパネル側固定部６３に固定される部位である。
固定部材５１，５２は、ベース部材５０に取り付けられた状態でのピッチ（本体部７０の線間の距離）が、固定部材５２，５１の線径以上であって、０．５ｍｍ以上３ｍｍ以下であることが好ましい。
固定部材５１，５２の線径は、０．２ｍｍ以上０．５ｍｍ以下であることが好ましい。
これらの範囲であれば、適度に押圧力によって弾性変形しやすく、発光パネルの取付構造１を組み立てた際に固定部材５１，５２が互いに近接する方向への復元力が生じやすい。
固定部材５１，５２は、２ｍｍ以上２０ｍｍ以下であることがより好ましい。
これらの範囲であれば、他の固定部材が線間から適度に抜けにくく、他の固定部材が線間に入りやすい。
【００４８】
ここで、取付装置３の位置関係について説明する。
固定部材５１，５２は、図３，図８，図９から読み取れるように、取付部６５，６６に固定されており、互いに対向する位置関係となっている。
固定部材５１（固定部材５２）の保持部７１は、図８の拡大図のように、パネル側固定部６３に固定されており、保持部７２は、図３の拡大図のように、壁面側固定部６４に固定されている。
固定部材５１，５２の本体部７０，７０は、ともに取り付け用貫通孔５７内に位置している。すなわち、固定部材５１，５２の本体部７０，７０は、互いに近接する側に位置している。
一方の固定部材５１の本体部７０の線間に他方の固定部材５２の本体部７０が入り込んでいる。同様に、一方の固定部材５２の本体部７０の線間に他方の固定部材５１の本体部７０が入り込んでいる。すなわち、本体部７０，７０は互いに交互に入り組んでいる。
正面視すると、図４（ａ）のように固定部材５１の本体部７０の中心は、固定部材５２の本体部７０の円弧よりも内側（中心側）に位置しており、固定部材５２の本体部７０の中心は、固定部材５１の本体部７０の円弧よりも内側（中心側）に位置している。
【００４９】
続いて、取付装置３に発光パネル２の取り付ける際の各部材の位置関係について説明する。
【００５０】
あらかじめ、図１０（ａ）のように、発光パネル２及び取付装置３をそれぞれ組み立てて、取付装置３を天井や壁等の被設置面４に固定する。
このとき、固定部材５１，５２は、互いに近接した通常姿勢を取っている。すなわち、固定部材５１，５２の本体部７０，７０の一部が互いに入りこんでいる。
【００５１】
図１０（ｂ）のように、発光パネル２をベース部材５０に対して垂直方向に平行移動させて、発光パネル２の突出片１１を固定部材５１，５２に押し当てて取り付け用貫通孔５７内に挿入していく。すなわち、取付装置３に向かって発光パネル２を上方に押し込む。
このとき、磁石部５８，５９によって発光パネル２の突出片１１のベース部材５０側への移動が補助され、突出片１１が固定部材５１，５２の間を通過するように移動する。
またこのとき、固定部材５１，５２は、図１０（ｂ）のように、突出片１１の側面に当接しながら突出片１１の側面に沿って移動していき、固定部材５１，５２は、突出片１１から受ける押圧力によって弾性変形して押し広げられる。すなわち、固定部材５１，５２は、通常姿勢よりも互いに離間した離間姿勢に変更され、固定部材５１，５２の間に僅かに空間が形成される。
【００５２】
そして、図１０（ｃ）のように、さらに発光パネル２の突出片１１を取り付け用貫通孔５７の奥側（被設置面側）に押し込むと、固定部材５１，５２の当接部位は、突出片１１の固定孔１８に至るため、固定部材５１，５２は、復元力により互いに近接する方向へ向かい、固定孔１８内に進入する。すなわち、一方の固定部材５１は、固定孔１８の一方の開口２０側から固定孔１８内に挿入され、他方の固定部材５２は、他方の開口２１側から固定孔１８内に挿入される。
また、固定部材５１，５２は、通常姿勢とほぼ同様の位置に戻り、固定部材５１，５２が互いに近接し、固定部材５１，５２の本体部７０，７０が入り組んだ姿勢（係合姿勢）となる。
このとき、位置決め用係合片１２，１３は、図２のように、ベース部材５０の位置決め用係合部５５，５６内に挿入されており、位置決め用係合部５５，５６と位置決め用係合片１２，１３が幅方向Ｘ及び長さ方向Ｙにおいて係合している。
ベース部材５０の磁石部５８，５９は、発光パネル２の本体部１０と接触又は近接した状態となっている。また、ベース部材５０のベース側給電部６０，６１と有機ＥＬパネル６のパネル側給電部２２，２３は、給電孔１５，１６内を経由して接続されている。
【００５３】
以上が、発光パネル２を取付装置３に取り付ける動作である。
【００５４】
なお、取付装置３から発光パネル２を取り外す動作は、発光パネル２を取付装置３に取り付ける動作の手順を反対にしたこと以外は同様であるから簡潔に説明する。
【００５５】
取付装置３から発光パネル２を取り外す場合には、ベース部材５０から発光パネル２を平行に維持したまま、遠ざかる方向に移動させて、発光パネル２の突出片１１を固定部材５１，５２に押し当てながら取り付け用貫通孔５７内から引き抜く。すなわち、取付装置３から下方に向かって発光パネル２を引き抜く。
そうすると、固定部材５１，５２は、突出片１１の押圧力によって弾性変形して、係合姿勢から離間姿勢に変更される。
そして、さらに発光パネル２を引き抜くと、突出片１１が固定部材５１，５２間の隙間から引き抜かれ、固定部材５１，５２は復元力によって、離間姿勢から通常姿勢に戻る。
【００５６】
以上のように、本実施形態の発光パネルの取付構造１であれば、発光パネル２を被設置面４に対して垂直方向に平行移動させるだけで交換することができる。換言すると、発光パネルの取付構造１によれば、被設置面４への発光パネル２の押しつけ動作及び発光パネル２の引き抜き動作のみで被設置面４への発光パネル２の着脱が可能である。
すなわち、発光パネル２の垂直脱着が可能であるから、設置面の周りに他の発光パネル２が敷き詰められている場合でも、発光パネル２を容易に設置及び交換することができる。つまり、発光パネルの取付構造１を応用すれば、複数の発光パネル２間に隙間を設けない無間隙配置も可能となる。
【００５７】
本実施形態の発光パネルの取付構造１であれば、磁石部５８，５９からの磁力による固定に加えて、突出片１１と固定部材５１，５２の係合によっても被設置面４に対して固定されるため、たとえ磁石部５８，５９の磁力が消失した場合でも、落下しない。
【００５８】
本実施形態の発光パネルの取付構造１には、外部電源からベース側給電部６０，６１を介して、有機ＥＬパネル６のパネル側給電部２２，２３に給電可能となっている。そのため、新たに配線を這わせることなく、有機ＥＬパネル６の有機発光層３３に電圧を印加して発光面８を発光させることができる。
【００５９】
本実施形態の発光パネル２によれば、突出片１１及び位置決め用係合片１２，１３の表面にディッピング処理が施されて保護層が形成されているため、不意に位置決め用係合片１２，１３を手等に引っかけることにより怪我することを防止できる。
【００６０】
本実施形態の発光パネル２によれば、発光面８側に底面部２５が位置しており、底面部２５の外縁の大きさは、天面部２７の外縁大きさよりも小さいため、使用者にフレーム部材７の幅を狭くみせることができる。
【００６１】
続いて、第２実施形態における発光パネルの取付構造８０について説明する。なお、第１実施形態と同様のものは同じ符番を付して説明を省略する。
【００６２】
第２実施形態の発光パネルの取付構造８０は、第１実施形態の発光パネルの取付構造１と取付装置の構造が異なる。
具体的には、第２実施形態の取付装置８１は、取り付け用貫通孔内の構造が第１実施形態の取付装置３と異なる。
取付装置８１は、図１１のように、取り付け用貫通孔８２内にヒンジ部８３と、固定部材８５（固定部）を備えている。
取り付け用貫通孔８２は、内壁を形成する内壁部に囲まれた空間９０を有している。
すなわち、空間９０は、幅方向Ｘに対面する内壁部８６，８８に挟まれている。
内壁部８６には、ヒンジ部８３を介して固定部材８５が接続されており、固定部材８５は、ヒンジ部８３を中心として空間９０内を回動可能となっている。
内壁部８６に対面する内壁部８８には、その先端部位に内壁部８８に対して直交する係止片９１が設けられている。
係止片９１は、固定部材８５が空間９０から外部に出ることを係止する部位である。
固定部材８５は、弾性体によって形成された板状の部材である。
【００６３】
続いて、取付装置８１に発光パネル２を取り付ける際の各部材の位置関係について説明する。
【００６４】
図１２（ａ）のように、あらかじめ取付装置８１を天井や壁等の被設置面４に固定する。
このとき、固定部材８５は、ベース部材５０に対して平行な姿勢を取っており、係止片９１によって固定部材８５が下方側に回動することを係止されている。
【００６５】
そして、発光パネル２をベース部材５０に対して垂直方向に平行移動させて、発光パネル２の突出片１１を固定部材８５に押し当てて取り付け用貫通孔８２の空間９０内に挿入していく。
このとき、固定部材８５は、突出片１１から押圧力を受けてヒンジ部８３を中心として上方側（ベース部材５０側）に回動していく。すなわち、固定部材８５は、突出片１１から押圧力を受けて突出片１１を避けるように移動する。
【００６６】
図１２（ｂ），図１２（ｃ）から読み取れるように、さらに発光パネル２の突出片１１を取り付け用貫通孔８２内に押し込むと、固定部材８５は、弾性変形して湾曲し、復元力によって突出片１１の固定孔１８内に挿入される。
すなわち、固定部材８５は、固定孔１８内を挿通して、ベース部材５０に対して平行な姿勢となり、固定孔１８と係合する。
具体的には、固定部材８５は、固定孔１８の上方の部位と係合して、発光パネル２が下方に落下することを防止している。
【００６７】
続いて、第３実施形態の発光パネルの取付構造１００について説明する。なお、第１，２実施形態と同様のものは同じ符番を付して説明を省略する。
【００６８】
第３実施形態の発光パネルの取付構造１００は、第１実施形態の発光パネルの取付構造１と固定部材の形状が異なる。
【００６９】
発光パネルの取付構造１００の固定部材１０１，１０２は、ローラー部１０３と、ローラー部１０３の両端を軸支する支持部１０５，１０６を有する。
ローラー部１０３は、弾性変形可能な素材でできた円柱状のローラーである。
支持部１０５，１０６は、ローラー部１０３を周方向に回動可能に支持する部位である。
【００７０】
続いて、取付装置に発光パネル２の取り付ける際の各部材の位置関係について説明する。
【００７１】
図１４（ａ）のように、あらかじめ取付装置１０７を天井や壁等の被設置面４に固定する。
このとき、支持部１０５，１０６は、ベース部材５０の取り付け用貫通孔５７の内壁面に固定されており、固定部材１０１，１０２のローラー部１０３，１０３を近接した姿勢（通常姿勢）となっている。
本実施形態では、ローラー部１０３，１０３の外周面同士が接触している。
【００７２】
そして、図１４（ｂ）のように、発光パネル２をベース部材５０に対して垂直方向に平行移動させて、発光パネル２の突出片１１を固定部材１０１，１０２に押し当てて取り付け用貫通孔５７内に挿入していく。
このとき、固定部材１０１，１０２は、突出片１１から押圧力を受けて弾性変形し、離間姿勢をとるとともに、互いに反対方向に回動する。
【００７３】
そして、図１４（ｃ）のように、さらに発光パネル２の突出片１１を取り付け用貫通孔５７の奥側（被設置面４側）に押し込むと、固定部材１０１，１０２の外面は、突出片１１の固定孔１８に至るため、固定部材１０１，１０２は、復元力により、互いに近接する方向への向かい、固定孔１８内に進入する。すなわち、固定部材１０１，１０２は、係合姿勢となり、一方の固定部材１０１は、固定孔１８の一方の開口２０側から固定孔１８内に挿入され、他方の固定部材１０２は、他方の開口２１側から固定孔１８内に挿入される。
【００７４】
上記した第１実施形態では、固定部材５１，５２として、共にコイルばねを使用したが、本発明はこれに限定されるものではなく、固定部材５１，５２の形状は問わない。
例えば、固定部材５１，５２のうち、片方のみコイルばねを使用してもよい。
【００７５】
上記した実施形態では、発光パネル２に突出片を有し、取付装置３に固定部材を有した構造であったが、本発明はこれに限定されるものではなく、取付装置３に突出片を有し、発光パネル２に固定部材を有した構造であってもよい。
【００７６】
上記した実施形態では、発光パネル２としてボトムエミッション型の有機ＥＬパネルを内蔵したものを使用したが、本発明はこれに限定されるものではなく、基材と反対側から光を取り出すトップエミッション型の有機ＥＬパネルを内蔵していてもよい。
【００７７】
上記した実施形態では、発光パネル２として有機ＥＬパネルを内蔵したものを使用したが、本発明はこれに限定されるものではなく、ＬＥＤパネルなどでも使用できる。
【００７８】
上記した実施形態では、複数の他の発光パネルとともに発光パネル２を設置する場合について説明したが、本発明はこれに限定されるものではなく、発光パネルの取付構造１は単独でも使用できる。
【００７９】
上記した実施形態では、１つの取付装置３に対して１つの発光パネル２を取り付ける構造について説明したが、本発明はこれに限定されるものではなく、１つの取付装置３に対して複数の発光パネル２を取り付けてもよい。
この場合、取付装置３に発光パネル２の数に対応させて、固定部材を設けることとなる。
【００８０】
上記した実施形態では、固定部材５１，５２として断面形状が円形の線状体を螺旋状に旋回させたコイルばねを使用したが、本発明はこれに限定されるものではなく、線状体の断面形状は特に限定されない。例えば、四角形状であってもよいし、筒状であってもよい。
【００８１】
上記した実施形態では、天井を被設置面４とした場合について例示して説明したが本発明はこれに限定されるものではなく、壁や床面を被設置面４としてもよい。
【符号の説明】
【００８２】
１，８０，１００  発光パネルの取付構造
２  発光パネル
３，８１，１０７  取付装置
５  固定基材（被係合部）
８  発光面
１１  突出片
１８  固定孔
２０，２１  開口
３１  基材
３２  第１電極層
３３  有機発光層
３５  第２電極層
５０  ベース部材（ベース部）
５１，５２，８５，１０１，１０２  固定部材（係合部）
５８，５９  磁石部
６０，６１  ベース側給電部（給電部）
【図１】
2015111528.tif 000003
【図２】
2015111528.tif 000004
【図３】
2015111528.tif 000005
【図４】
2015111528.tif 000006
【図５】
2015111528.tif 000007
【図６】
2015111528.tif 000008
【図７】
2015111528.tif 000009
【図８】
2015111528.tif 000010
【図９】
2015111528.tif 000011
【図１０】
2015111528.tif 000012
【図１１】
2015111528.tif 000013
【図１２】
2015111528.tif 000014
【図１３】
2015111528.tif 000015
【図１４】
2015111528.tif 000016